【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
第１のダイナミックレンジのすべての輝度範囲における輝度の入力値に対する出力値の関係が予め定められた基準のガンマ特性に基づいて、前記関係を維持したまま、前記第１のダイナミックレンジよりも広い第２のダイナミックレンジに対応するガンマ特性を設定する制御手段と、
前記設定されたガンマ特性を用いて、第２のダイナミックレンジを有する映像信号に対してガンマ補正処理を行う補正手段と
を有することを特徴する映像処理装置。
【請求項２】
前記補正手段は、前記設定されたガンマ特性に基づいて、撮像された映像信号の各輝度値がコード化された前記入力値のコードを前記出力値のコードに変換し、低輝度から高輝度までの全輝度領域の前記出力値のコードに対するビットの割り振りの割合を変更せずに前記ガンマ補正処理を行うことを特徴とする請求項１に記載の映像処理装置。
【請求項３】
前記制御手段は、前記設定するガンマ特性を、前記基準のガンマ特性の前記第１のダイナミックレンジより所定の倍率だけ広くなされた前記第２のダイナミックレンジのガンマ特性とすることを特徴とする請求項１又は２に記載の映像処理装置。
【請求項４】
前記制御手段は、前記基準のガンマ特性の入力値と出力値の関係に合わせるようにして前記設定した第１のガンマ特性と、前記基準のガンマ特性の入力値と出力値の関係に対し、高輝度領域の入力値に対する出力値を圧縮するように設定した第２のガンマ特性との何れかを、装置のモードに応じて選択し、
前記補正手段は、前記装置のモードに応じて選択された前記第１のガンマ特性又は第２のガンマ特性を用いて、前記ガンマ補正処理を行うことを特徴とする請求項１乃至３の何れか１項に記載の映像処理装置。
【請求項５】
前記制御手段は、前記ガンマ補正処理の際に前記第１のガンマ特性と前記第２のガンマ特性の何れが用いられたかを示す情報と、前記選択された第１のガンマ特性又は前記第２のガンマ特性が前記基準のガンマ特性の第１のダイナミックレンジより所定の倍率だけ広げられた第２のダイナミックレンジのガンマ特性である場合の前記所定の倍率に対応した情報と、前記映像信号のピーク輝度値を表す情報と、前記選択された前記第１のガンマ特性又は前記第２のガンマ特性のガンマ形状情報と、前記基準のガンマ特性を示す情報との、少なくとも何れか一つの情報を、メタデータとして、前記ガンマ補正処理が行われた後の映像信号に付加することを特徴とする請求項４に記載の映像処理装置。
【請求項６】
前記制御手段は、
撮像がなされている映像信号に対して前記ガンマ補正処理が行われてライブビュー表示がなされるときの現在の露出と適正露出との関係を位置の関係として表示するための露出表示信号を生成し、
前記第１のガンマ特性を用いたガンマ補正処理が行われる場合には、前記適正露出を示す位置を、前記第１のガンマ特性によりガンマ補正処理が行われたときの明るさに合わせた位置にした前記露出表示信号を生成することを特徴とする請求項４又は５に記載の映像処理装置。
【請求項７】
第１のダイナミックレンジのすべての輝度範囲における輝度の入力値に対する出力値の関係が予め定められた基準のガンマ特性に基づいて、前記関係を維持したまま、前記第１のダイナミックレンジよりも広い第２のダイナミックレンジに対応するガンマ特性の逆特性となるガンマ特性を設定する制御手段と、
前記設定されたガンマ特性を用いて、第２のダイナミックレンジを有する映像信号に対してガンマ補正処理を行う補正手段と
を有することを特徴とする映像処理装置。
【請求項８】
前記制御手段は、
前記入力された映像信号に付加されているメタデータを解析し、
前記メタデータの解析結果に基づいて、前記基準のガンマ特性の入力値と出力値の関係に合わせるようにした前記ガンマ特性である第１のガンマ特性の逆特性となる第３のガンマ特性と、前記基準のガンマ特性の入力値と出力値の関係に対し、高輝度領域の入力値に対する出力値を圧縮するようにした第２のガンマ特性の逆特性となる第４のガンマ特性との何れかを選択し、
前記補正手段は、前記選択された前記第３のガンマ特性又は第４のガンマ特性に基づいて、前記入力された映像信号に対して前記ガンマ補正処理を行うことを特徴とする請求項７に記載の映像処理装置。
【請求項９】
前記制御手段は、
前記メタデータの解析結果として、前記入力された映像信号が前記第１のガンマ特性を用いてガンマ補正処理されていることを示す情報を得た場合には、前記第３のガンマ特性を選択し、
前記メタデータの解析結果として、前記入力された映像信号が前記第２のガンマ特性を用いてガンマ補正処理されていることを示す情報を得た場合には、前記第４のガンマ特性を選択することを特徴とする請求項８に記載の映像処理装置。
【請求項１０】
前記制御手段は、前記メタデータの解析結果として、第１、第２のガンマ特性が前記基準のガンマ特性の第１のダイナミックレンジより所定の倍率だけ広くなされた第２のダイナミックレンジのガンマ特性であるときの前記所定の倍率を表す情報を得た場合には、前記第３、第４のガンマ特性を、前記所定の倍率だけ広くなされた第２のダイナミックレンジのガンマ特性に設定することを特徴とする請求項８又は９に記載の映像処理装置。
【請求項１１】
前記制御手段は、前記第３のガンマ特性を選択し、前記メタデータの解析結果として、前記第１のガンマ特性の第２のダイナミックレンジを表す情報、又は、第１のガンマ特性が前記基準のガンマ特性の第１のダイナミックレンジより所定の倍率だけ広くなされた第２のダイナミックレンジのガンマ特性であるときの前記所定の倍率を表す情報、又は、前記入力された映像信号のピーク輝度値を表す情報を得た場合には、前記得られた情報に基づいて、前記映像信号に対して前記第３のガンマ特性によるガンマ補正処理が行われた場合の低中輝度の領域の輝度値が、前記映像信号に対して前記第４のガンマ特性によるガンマ補正処理が行われた場合の低中輝度の領域の輝度値に等しくなるピーク輝度値を求め、
前記入力された映像信号のピーク輝度値を、前記制御手段が求めたピーク輝度値に設定する輝度設定手段を有することを特徴とする請求項８乃至１０の何れか１項に記載の映像処理装置。
【請求項１２】
前記制御手段は、
前記メタデータの解析結果として、前記第１のガンマ特性のガンマ形状情報が得られた場合には、前記第１のガンマ特性のガンマ形状情報に基づいて、前記第３のガンマ特性を設定し、
前記メタデータの解析結果として、前記第２のガンマ特性のガンマ形状情報が得られた場合には、前記第２のガンマ特性のガンマ形状情報に基づいて、前記第４のガンマ特性を設定することを特徴とする請求項８乃至１１の何れか１項に記載の映像処理装置。
【請求項１３】
前記制御手段は、前記メタデータの解析結果として、前記基準のガンマ特性を示す情報が得られた場合には、前記基準のガンマ特性を示す情報に基づいて、前記第３、第４のガンマ特性の設定を行うことを特徴とする請求項８乃至１２の何れか１項に記載の映像処理装置。
【請求項１４】
前記制御手段が前記第４のガンマ特性を選択して前記補正手段により前記第４のガンマ特性を用いた前記ガンマ補正処理が行われた場合には、前記入力された映像信号に対して前記第２のガンマ特性による前記高輝度領域の圧縮に対応した復元を行う適応処理を行い、前記制御手段が前記第３のガンマ特性を選択して前記補正手段により前記第３のガンマ特性を用いた前記ガンマ補正処理が行われた場合には、前記入力された映像信号に対して前記適応処理を行わない適応処理手段を有することを特徴とする請求項８乃至１３の何れか１項に記載の映像処理装置。
【請求項１５】
制御手段が、第１のダイナミックレンジのすべての輝度範囲における輝度の入力値に対する出力値の関係が予め定められた基準のガンマ特性に基づいて、前記関係を維持したまま、前記第１のダイナミックレンジよりも広い第２のダイナミックレンジに対応するガンマ特性を設定するステップと、
補正手段が、前記設定されたガンマ特性を用いて、第２のダイナミックレンジを有する映像信号に対してガンマ補正処理を行うステップと
を含むことを特徴する映像処理方法。
【請求項１６】
制御手段が、第１のダイナミックレンジのすべての輝度範囲における輝度の入力値に対する出力値の関係が予め定められた基準のガンマ特性に基づいて、前記関係を維持したまま、前記第１のダイナミックレンジよりも広い第２のダイナミックレンジに対応するガンマ特性の逆特性となるガンマ特性を設定するステップと、
補正手段が、前記設定されたガンマ特性を用いて、第２のダイナミックレンジを有する映像信号に対してガンマ補正処理を行うステップと
を含むことを特徴とする映像処理方法。
【請求項１７】
コンピュータを、請求項１乃至６の何れか１項に記載の映像処理装置の各手段として機能させるための映像処理プログラム。
【請求項１８】
コンピュータを、請求項７乃至１４の何れか１項に記載の映像処理装置の各手段として機能させるための映像処理プログラム。
【手続補正２】
【補正対象書類名】明細書
【補正対象項目名】０００１
【補正方法】変更
【補正の内容】
【０００１】
本発明は、映像処理装置、映像処理方法、及び映像処理プログラムに関する。
【手続補正３】
【補正対象書類名】明細書
【補正対象項目名】０００５
【補正方法】変更
【補正の内容】
【０００５】
本発明はこのような問題点に鑑みてなされ、低輝度から高輝度までの全輝度領域で実被写体の階調特性に近い、自然な階調、色、鮮鋭感の再現を可能とする映像処理装置、映像処理方法、及び映像処理プログラムを提供することを目的とする。
【手続補正４】
【補正対象書類名】明細書
【補正対象項目名】０００６
【補正方法】変更
【補正の内容】
【０００６】
本発明の映像処理装置は、第１のダイナミックレンジのすべての輝度範囲における輝度の入力値に対する出力値の関係が予め定められた基準のガンマ特性に基づいて、前記関係を維持したまま、前記第１のダイナミックレンジよりも広い第２のダイナミックレンジに対応するガンマ特性を設定する制御手段と、前記設定されたガンマ特性を用いて、前記第２のダイナミックレンジを有する映像信号に対してガンマ補正処理を行う補正手段とを有することを特徴する。